(57)【特許請求の範囲】
【請求項１】
送信するシグナリングメッセージの作成及び受信したシグナリングメッセージの検証を行うＡＴＭシグナリング部が設けられた第１及び第２のＡＴＭ装置それぞれ有し、前記シグナリングメッセージに基づいてこれら両者間の通信を行うＡＴＭ通信システムにおいて、前記シグナリングメッセージの中で指定されるラベルとそれに対応した情報要素とが対応付けられて登録され互いの登録内容が等しい対応テーブルを前記第１及び第２のＡＴＭ装置がそれぞれ有し、第１のＡＴＭ装置のＡＴＭシグナリング部は、送信するシグナリングメッセージの作成に際して前記第１のＡＴＭ装置の対応テーブルに登録されたラベルをシグナリングメッセージ内で指定してシグナリングメッセージを作成すると共に、前記第２のＡＴＭ装置のＡＴＭシグナリング部は、受信したシグナリングメッセージの検証に際してシグナリングメッセージの中で指定されたラベルが前記第２のＡＴＭ装置の対応テーブルに登録されているか否かを確認することを特徴とするＡＴＭ通信システム。
【請求項２】
第１のＡＴＭ装置のＡＴＭシグナリング部は、第２のＡＴＭ装置の対応テーブルに登録するラベルと該ラベルに対応した情報要素及び前記第２のＡＴＭ装置の対応テーブルに登録を要求する登録要求通知を前記第２のＡＴＭ装置に出力し、前記第２のＡＴＭ装置のＡＴＭシグナリング部は、受信した登録要求通知に基づいて前記ラベルと前記ラベルに対応した情報要素とを前記第２のＡＴＭ装置の対応テーブルに登録することを特徴とする請求項１に記載のＡＴＭ通信システム。
【請求項３】
情報要素は、内容変更が不可能な固定部分の集合体と内容変更が可能な可変部分の集合体とに分けたことを特徴とする請求項２に記載のＡＴＭ通信システム。
【請求項４】
可変部分の可変データを示すデータの集合体が、情報要素にさらに付設されたことを特徴とする請求項３に記載のＡＴＭ通信システム。
【請求項５】
第２のＡＴＭ装置はタイマを有し、前記第２のＡＴＭ装置のＡＴＭシグナリング部は、前記タイマが第１及び第２のＡＴＭ装置間の呼設定処理の完了後から計測を開始して予め定められた時間を計測するまでに登録要求通知を受信しない場合に、前記第１のＡＴＭ装置に前記登録要求通知の出力を督促する登録要求通知督促通知を前記第１のＡＴＭ装置に出力することを特徴とする請求項２乃至４のいずれかに記載のＡＴＭ通信システム。
【請求項６】
第１のＡＴＭ装置のＡＴＭシグナリング部は、受信した登録要求通知督促通知に基づいて、第２のＡＴＭ装置の対応テーブルへのラベル及び該ラベルに対応した情報要素の登録を行わない場合は、その旨を示す非登録通知を前記第２のＡＴＭ装置に出力することを特徴とする請求項５に記載のＡＴＭ通信システム。
【請求項７】
第２のＡＴＭ装置のＡＴＭシグナリング部は、第２のＡＴＭ装置の対応テーブルへのラベル及び該ラベルの登録を拒否する場合は、その旨を示す登録拒否通知を第１のＡＴＭ装置に出力することを特徴とする請求項２乃至５のいずれかに記載のＡＴＭ通信システム。
【請求項８】
第１のＡＴＭ装置のＡＴＭシグナリング部は、第２のＡＴＭ装置の対応テーブルから削除するラベル及び該ラベルに対応した情報要素を第２のＡＴＭ装置の対応テーブルからの削除を要求する削除要求通知を出力し、前記第２のＡＴＭ装置のＡＴＭシグナリング部は、受信した削除要求通知に基づいて前記ラベル及び前記ラベルに対応した情報要素を前記第２のＡＴＭ装置の対応テーブルから削除することを特徴とする請求項１乃至７のいずれかに記載のＡＴＭ通信システム。
【請求項９】
第２のＡＴＭ装置のＡＴＭシグナリング部は、情報要素の削除を行った場合は、その旨を示す削除確認通知を発信側ＡＴＭ装置に出力することを特徴とする請求項８に記載のＡＴＭ通信システム。
【請求項１０】
第１のＡＴＭ装置のＡＴＭシグナリング部は、第２のＡＴＭ装置の対応テーブルに登録された登録内容の変更を要求する変更要求通知を前記第２のＡＴＭ装置に出力し、前記第２のＡＴＭ装置のＡＴＭシグナリング部は、受信した変更要求通知に基づいて前記第２のＡＴＭ装置の対応テーブルの登録内容を変更することを特徴とする請求項１乃至９のいずれかに記載のＡＴＭ通信システム。
【請求項１１】
第２のＡＴＭ装置のＡＴＭシグナリング部は、登録内容の変更を行った場合は、その旨を示す変更確認通知を第１のＡＴＭ装置に出力することを特徴とする請求項１０に記載のＡＴＭ通信システム。
【請求項１２】
第２のＡＴＭ装置のＡＴＭシグナリング部は、登録内容の変更を拒否する場合は、その旨を示す変更拒否通知を第１のＡＴＭ装置に出力することを特徴とする請求項１０に記載のＡＴＭ通信システム。
【請求項１３】
第１のＡＴＭ装置のＡＴＭシグナリング部は、前記第１のＡＴＭ装置の対応テーブルの登録内容が示され前記第１のＡＴＭ装置の対応テーブルの登録内容と第２のＡＴＭ装置の対応テーブルの登録内容との確認を要求する登録内容確認要求通知を前記第２のＡＴＭ装置に出力し、前記第２のＡＴＭ装置のＡＴＭシグナリング部は、前記登録内容確認要求通知に基づいて前記第１のＡＴＭ装置の対応テーブルの登録内容と前記第２のＡＴＭ装置の対応テーブルの登録内容との確認を行うことを特徴とする請求項１乃至１２に記載のＡＴＭ通信システム。
【請求項１４】
前記登録内容確認要求通知は、第１のＡＴＭ装置と第２の装置との間の回線の物理的断線が復旧して、第１及び第２のＡＴＭ装置のＡＴＭシグナリング部が、お互いに接続されているＡＴＭ装置が断線前に接続されていたＡＴＭ装置であることを共に確認した場合に、出力されることを特徴とする請求項１３に記載のＡＴＭ通信システム。
【請求項１５】
登録内容確認要求通知は、第１のＡＴＭ装置の対応テーブルに登録されている全てのラベルにより前記第１のＡＴＭ装置の対応テーブルの内容を示すことを特徴とする請求項１３叉は１４に記載のＡＴＭ通信システム。
【請求項１６】
登録内容確認要求通知は、第１のＡＴＭ装置の対応テーブルに登録されている全てのラベル及び該ラベルに対応した情報要素により前記第１のＡＴＭ装置の対応テーブルの内容を示すことを特徴とする請求項１３叉は１４に記載のＡＴＭ通信システム。
【請求項１７】
第２のＡＴＭ装置のＡＴＭシグナリング部は、第１のＡＴＭ装置の対応テーブルの登録内容と前記第２のＡＴＭ装置の対応テーブルの登録内容とが一致していない場合に、前記一致していない登録内容を前記第２のＡＴＭ装置の対応テーブルから削除すると共に、前記一致していない登録内容を前記第１のＡＴＭ装置の対応テーブルから削除を要求する登録削除要求通知を出力し、前記第１のＡＴＭ装置のＡＴＭシグナリング部は、受信した登録削除要求通知に基づいて登録内容を前記第１のＡＴＭ装置の対応テーブルから削除することを特徴とする請求項１３乃至１６のいずれかに記載のＡＴＭ通信システム。
【請求項１８】
ＡＴＭシグナリング部から出力される通知は、ユーザ情報以外の予約領域のチャネルのうち未割当てのチャネルを介して送信されることを特徴とする請求項１乃至１７のいずれかに記載のＡＴＭ通信システム。
【発明の詳細な説明】
【０００１】
【発明の属する技術分野】
この発明は、高速なシグナリングメッセージを用いたコネクション処理が可能なＡＴＭ通信システムに関する．
【０００２】
【従来の技術】
例えば、「Ｔｈｅ  ＡＴＭ  Ｆｏｒｕｍ  Ｔｅｃｎｉｃａｌ  Ｃｏｍｉｔｔｅｅ」（Ｕｓｅｒ−Ｎｅｔｗｏｒｋ  Ｉｎｔｅｒｆａｃｅ（ＵＮＩ）  Ｓｐｅｃｉｆｉｃａｔｉｏｎ  Ｖｅｒｓｉｏｎ３．１（以下、従来文献という）に記述されているＡＴＭ呼接続方式では、最初に呼設定を行う発信側のＡＴＭ端末が、通信開始毎にＳＥＴＵＰメッセージに情報要素を付加して、さらに完成したＳＥＴＵＰを受信側の各ＡＴＭ交換機に送信し、一方、受信側のＡＴＭ交換機はこのＳＥＴＵＰに含まれる情報要素を逐次検証していくプロトコルを採用している。
【０００３】
そして、その後、受信側のＡＴＭ交換機は、この送られてきたＳＥＴＵＰメッセージの情報要素が妥当であり、様々な呼受付制御やアドレス解決などの処理が済んだことを発信元のＡＴＭ端末装置に通知するために、受信側のＡＴＭ交換機はＣＡＬＬ  ＰＲＯＣメッセージを発信元のＡＴＭ端末装置に返送することによって、先のＳＥＴＵＰの全ての情報要素が妥当であり、受信側のＡＴＭ交換機は送信受付が可能であることの確認を終了する。
【０００４】
図３０は前述した従来文献のＡＴＭ呼接続方式における従来の呼設定シーケンスである。
図３０中、１１はＡＴＭのインタフェースを備え、前述した従来文献の実装規約に準拠した通信処理を行うＡＴＭ端末である。ここでＡＴＭ端末１１は呼制御のためのメッセージの作成及び受信したメッセージの検証をするＡＴＭシグナリング部１１ａを備えている。
【０００５】
また、１２はＡＴＭのインタフェースを備え、前述した従来文献の実装規約に準拠した通信処理を行うＡＴＭスイッチ（ＡＴＭ交換機）であり、ＡＴＭスイッチ１２も呼制御のためのメッセージの作成及び受信したメッセージの検証をするＡＴＭシグナリング部１２ａを備えている。
【０００６】
そしてＡＴＭ端末１１とＡＴＭ端末スイッチ１２とはＡＴＭ回線１３を介して相互の通信を行っている。
【０００７】
また、図３１は前述した従来文献で規定されている呼制御のためのメッセージの１つであるＳＥＴＵＰ（呼設定要求）１００のメッセージの概略図である。
【０００８】
図３１中、ＳＥＴＵＰ１００は、ＡＴＭセルヘッダ１１０と、プロトコル識別子と呼番号とメッセージ種別とメッセージ長とを含んだＳＥＴＵＰ共通部１２０と、それぞれ識別子と内容長及び内容で構成される第１〜第３の情報要素１３１〜１３３とから構成されている。
【０００９】
このように構成された従来のＡＴＭ呼制御方式では、上位アプリケーションからの要求に基づいて、相手端末に呼／コネクションの接続を行なうためにＡＴＭ端末１１を起動すると、ＡＴＭシグナリング部１１ａは、ＳＥＴＵＰ２００のＡＴＭセルヘッダ１１０とＳＥＴＵＰ共通部１２０とを設定し、そして必要な第１〜第３の情報要素１３１〜１３３を設定する。
【００１０】
第１〜第３の情報要素１３１〜１３３には、例えば、相手端末を指定する被呼アドレス、ネットワークの特性を示す広帯域伝達能力、トラフィックのパラメータを指定するＡＴＭトラフィック記述子、ＡＡＬ（ＡＴＭアダプテーションレイヤ）の特性を示すＡＡＬパラメータ等についての情報要素識別子と情報要素内容長及び情報要素内容がそれぞれ設定される。
【００１１】
そして、ＡＴＭシグナリング部１１ａは、このように作成したＳＥＴＵＰ１００をＡＴＭ回線１３を介して物理的に接続されたＡＴＭスイッチ１２へ送信する。
【００１２】
ＡＴＭスイッチ１２では、ＡＴＭ端末１１から送信されたＳＥＴＵＰ１００を受信すると、ＡＴＭシグナリング部１２ａは、ＡＴＭセルヘッダ１１０、ＳＥＴＵＰ共通部１２０のフォーマット等の正当性を検査し、続いて第１〜第３の情報要素１３１〜１３３のフォーマットの正当性を検証したり、アドレス解析や呼受付制御等を実行する。
【００１３】
より詳細に述べると、ＡＴＭシグナリング部１２ａは、第１の情報要素１３１の識別子１３１ａが予め規定された識別子であってＳＥＴＵＰで必須又はオプションとしてサポートできるか否か判断し、また第１の情報要素１３１の内容長１３１ｂが規定された範囲内の値であるか否か検査し、また第１の情報要素１３１の内容１３１ｃが第１の情報要素１３１の識別子１３１ａで規定された符号化に基づいて符号化されているか否か検査し、さらに第１の情報要素１３１の内容１３１ｃの長さが第１の情報要素１３１の内容長１３１ｂと同じであるか否かを検査する。
【００１４】
また、ＡＴＭシグナリング部１２ａは、第１の情報要素１３１の識別子１３１ａが被呼アドレスの場合、相手端末を識別するためにアドレス解析を行なったり、また、第１の情報要素１３１の識別子１３１ａがＡＴＭトラフィック識別子の場合、ピークセルレート等の値がネットワークが許容できるかどうかの呼受付制御を行なったり、また、第１の情報要素１３１の識別子１３１ａがＡＡＬパラメータの場合、規定された符号化を行なっているか否かの検査をする。
【００１５】
このようにして、ＡＴＭスイッチ１２でのＳＥＴＵＰ１００の全ての検査が終了し、呼設定が受付可能なことが判断されると、ＡＴＭシグナリング部１２ａはこのＳＥＴＵＰをＡＴＭ端末１１が通信相手とする図示しない相手端末のＡＴＭインタフェースへ送信する。
【００１６】
一方、このＳＥＴＵＰ２００を送信してきたＡＴＭ端末１１に対しては、ＡＴＭシグナリング部１２ａはＣＡＬＬ  ＰＲＯＣ（呼設定受付）２００のメッセージを返信することによって、ＳＥＴＵＰ１００がＡＴＭスイッチ１２に正常に受信されたことをＡＴＭ端末１１に通知する。
【００１７】
その後、ＡＴＭ端末１１に図示しない相手端末からＡＴＭスイッチ１２を介してＣＯＮ（応答）３００のメッセージが受信されて、ＡＴＭシグナリング部１１ａがＡＴＭスイッチ１２にＣＯＮ  ＡＣＫ（応答確認）４００のメッセージを送信することによって、ＡＴＭ端末１１もデータ５００の通信が可能となる。
【００１８】
この後、一度呼が解放され、新たに呼設定を行なう場合、ＡＴＭ端末１１とＡＴＭスイッチ１２は上記の処理を同様に繰り返すことによって、データ通信を行なう。
【００１９】
【発明が解決しようとする課題】
このように従来のＡＴＭ呼設定方式では、各ＡＴＭ通信装置では情報要素を含んだ呼制御のためのメッセージ（例えば、ＳＥＴＵＰ）の作成や受信した呼制御のためのメッセージの検証をそれぞれ呼制御毎に始めから行なうので、呼制御の処理に遅延が生じる。
【００２０】
この発明は係る問題点を解決するためになされたもので、シグナリングメッセージのコネクション交換処理を高速に行なうことのできるＡＴＭ通信システムを得ることを目的とする。
【００２１】
【課題を解決するための手段】
この発明に係るＡＴＭ通信システムは、送信するシグナリングメッセージの作成及び受信したシグナリングメッセージの検証を行うＡＴＭシグナリング部が設けられた第１及び第２のＡＴＭ装置それぞれ有し、シグナリングメッセージに基づいてこれら両者間の通信を行うＡＴＭ通信システムにおいて、シグナリングメッセージの中で指定されるラベルとそれに対応した情報要素とが対応付けられて登録され互いの登録内容が等しい対応テーブルを第１及び第２のＡＴＭ装置がそれぞれ有し、第１のＡＴＭ装置のＡＴＭシグナリング部は、送信するシグナリングメッセージの作成に際して第１のＡＴＭ装置の対応テーブルに登録されたラベルをシグナリングメッセージ内で指定してシグナリングメッセージを作成すると共に、第２のＡＴＭ装置のＡＴＭシグナリング部は、受信したシグナリングメッセージの検証に際してシグナリングメッセージの中で指定されたラベルが前記第２のＡＴＭ装置の対応テーブルに登録されているか否かを確認するようにしたものである。
【００２２】
また、第１のＡＴＭ装置のＡＴＭシグナリング部は、第２のＡＴＭ装置の対応テーブルに登録するラベルと該ラベルに対応した情報要素及び第２のＡＴＭ装置の対応テーブルに登録を要求する登録要求通知を第２のＡＴＭ装置に出力し、第２のＡＴＭ装置のＡＴＭシグナリング部は、受信した登録要求通知に基づいてラベルとラベルに対応した情報要素とを第２のＡＴＭ装置の対応テーブルに登録するようにしたものである。
【００２３】
また、情報要素は、内容変更が不可能な固定部分の集合体と内容変更が可能な可変部分の集合体とに分けたものである。
【００２４】
また、可変部分の可変データを示すデータの集合体が、情報要素にさらに付設されたものである。
【００２５】
また、第２のＡＴＭ装置はタイマを有し、第２のＡＴＭ装置のＡＴＭシグナリング部は、タイマが第１及び第２のＡＴＭ装置間の呼設定処理の完了後から計測を開始して予め定められた時間を計測するまでに登録要求通知を受信しない場合に、第１のＡＴＭ装置に登録要求通知の出力を督促する登録要求通知督促通知を第１のＡＴＭ装置に出力するようにしたものである。
【００２６】
また、第１のＡＴＭ装置のＡＴＭシグナリング部は、受信した登録要求通知督促通知に基づいて、第２のＡＴＭ装置の対応テーブルへのラベル及び該ラベルに対応した情報要素の登録を行わない場合は、その旨を示す非登録通知を第２のＡＴＭ装置に出力するようにしたものである。
【００２７】
また、第２のＡＴＭ装置のＡＴＭシグナリング部は、第２のＡＴＭ装置の対応テーブルへのラベル及びラベルの登録を拒否する場合は、その旨を示す登録拒否通知を第１のＡＴＭ装置に出力するようにしたものである。
【００２８】
また、第１のＡＴＭ装置のＡＴＭシグナリング部は、第２のＡＴＭ装置の対応テーブルから削除するラベル及び該ラベルに対応した情報要素を第２のＡＴＭ装置の対応テーブルからの削除を要求する削除要求通知を出力し、第２のＡＴＭ装置のＡＴＭシグナリング部は、受信した削除要求通知に基づいてラベル及びラベルに対応した情報要素を第２のＡＴＭ装置の対応テーブルから削除するようにしたものである。
【００２９】
また、第２のＡＴＭ装置のＡＴＭシグナリング部は、情報要素の削除を行った場合は、その旨を示す削除確認通知を発信側ＡＴＭ装置に出力するようにしたものである。
【００３０】
また、第１のＡＴＭ装置のＡＴＭシグナリング部は、第２のＡＴＭ装置の対応テーブルに登録された登録内容の変更を要求する変更要求通知を第２のＡＴＭ装置に出力し、第２のＡＴＭ装置のＡＴＭシグナリング部は、受信した変更要求通知に基づいて第２のＡＴＭ装置の対応テーブルの登録内容を変更するようにしたものである。
【００３１】
また、第２のＡＴＭ装置のＡＴＭシグナリング部は、登録内容の変更を行った場合は、その旨を示す変更確認通知を第１のＡＴＭ装置に出力するようにしたものである。
【００３２】
また、第２のＡＴＭ装置のＡＴＭシグナリング部は、登録内容の変更を拒否する場合は、その旨を示す変更拒否通知を第１のＡＴＭ装置に出力するようにしたものである。
【００３３】
また、第１のＡＴＭ装置のＡＴＭシグナリング部は、第１のＡＴＭ装置の対応テーブルの登録内容が示され第１のＡＴＭ装置の対応テーブルの登録内容と第２のＡＴＭ装置の対応テーブルの登録内容との確認を要求する登録内容確認要求通知を第２のＡＴＭ装置に出力し、第２のＡＴＭ装置のＡＴＭシグナリング部は、登録内容確認要求通知に基づいて第１のＡＴＭ装置の対応テーブルの登録内容と第２のＡＴＭ装置の対応テーブルの登録内容との確認を行うようにしたものである。
【００３４】
また、登録内容確認要求通知は、第１のＡＴＭ装置と第２の装置との間の回線の物理的断線が復旧して、第１及び第２のＡＴＭ装置のＡＴＭシグナリング部が、お互いに接続されているＡＴＭ装置が断線前に接続されていたＡＴＭ装置であることを共に確認した場合に、出力されるようにしたものである。
【００３５】
また、登録内容確認要求通知は、第１のＡＴＭ装置の対応テーブルに登録されている全てのラベルにより第１のＡＴＭ装置の対応テーブルの内容を示すようにしたものである。
【００３６】
また、登録内容確認要求通知は、第１のＡＴＭ装置の対応テーブルに登録されている全てのラベル及び該ラベルに対応した情報要素により第１のＡＴＭ装置の対応テーブルの内容を示すようにしたものである。
【００３７】
また、第２のＡＴＭ装置のＡＴＭシグナリング部は、第１のＡＴＭ装置の対応テーブルの登録内容と第２のＡＴＭ装置の対応テーブルの登録内容とが一致していない場合に、一致していない登録内容を第２のＡＴＭ装置の対応テーブルから削除すると共に、一致していない登録内容を第１のＡＴＭ装置の対応テーブルから削除を要求する登録削除要求通知を出力し、第１のＡＴＭ装置のＡＴＭシグナリング部は、受信した登録削除要求通知に基づいて登録内容を第１のＡＴＭ装置の対応テーブルから削除するようにしたものである。
【００３８】
また、ＡＴＭシグナリング部から出力される通知は、ユーザ情報以外の予約領域のチャネルのうち未割当てのチャネルを介して送信されるようにしたものである。
【００３９】
【発明の実施の形態】
実施の形態１．
図１は、実施の形態１に係るＡＴＭ通信システムの接続処理シーケンス図である。
図１中、ＡＴＭ端末１１とＡＴＭスイッチ１２には共に同様に構成された通信パラメータ対応テーブル１１ｂ、１２ｂがそれぞれ設けられている。通信パラメータ対応テーブル１１ｂ、１２ｂについては後述する。
尚、図１中のＡＴＭ呼接続システムの接続処理シーケンス図についても後述する。
【００４０】
このように構成されたＡＴＭ呼接続システムでは、ＡＴＭ端末１１及びＡＴＭスイッチ１２が起動して、物理的に接続、即ち電気的に回線が接続されていることをお互いが認識し、ＳＥＴＵＰを始めとするＡＴＭシグナリングメッセージの送受信が可能な状態になると、ＡＴＭ端末１１及びＡＴＭスイッチ１２は、既に予め定められたアプリケーションに基づいて後述するような動作を行う。
【００４１】
ここで、既に予め定められたアプリケーションとは、例えば、ＬＡＮをエミュートするプロトコルであるＬＡＮエミュレーション（以下、ＬＡＮＥという）において、ＬＡＮＥに参加するためにＬＡＮＥサーバに接続する場合のように、ＬＡＮサーバのアドレスは既知であり、どのような伝送形態でどのように参加用のデータを送信するか、またはどの程度のピークセルレートや転送遅延に基づいて転送されるかは、常に固定的であってＡＴＭ端末のユーザがパラメータを特に変更する必要が無く、毎回同じ内容に基づいて処理されるようなアプリケーションを指す。
【００４２】
話を元に戻して、ＡＴＭシグナリング部１１ａは、呼設定に際しては、呼設定の便宜のために予めシグナリングメッセージであるＳＥＴＵＰの情報要素である第１〜第３の情報要素１３１〜１３３の一群に対して（ここでは、必須の情報要素が３つあるとする）あるラベル番号を付け、その情報要素の内容をＡＴＭ端末１１とＡＴＭスイッチ１２との間の通信ではその内容が予め規定されて変更されることのない情報である規定情報要素と定義して両者を対応付ける。
【００４３】
そして、ＡＴＭシグナリング部１１ａは、ラベル番号６０１とその情報要素の内容である規定情報要素６０４との対応関係を通信パラメータとして、図２に示すような構成をとる通信パラメータ対応テーブル１１ｂに保存する。
【００４４】
そして、ＡＴＭシグナリング部１１ａは、後の呼設定要求でＳＥＴＵＰを送信するシグナリングチャネルと同じチャネル（値）を使用して、その対応関係を通信パラメータ登録要求通知７００としてＡＴＭスイッチ１２に送信してこの対応関係の登録をＡＴＭスイッチ１２に要求する。
【００４５】
ここで、通信パラメータ登録要求通知７００のフォーマットは、図３に示すように、通信パラメータ登録要求通知であることを識別する通信パラメータ種別７１０と内容長（データ長）７２０とを通信パラメータメッセージの共通ヘッダ部とし、この共通ヘッダ部に規定情報要素のみを対象とすることを識別するラベル名記述子７３０と先に定義したラベル番号６０１とを付加し、さらに引き続いて規定情報要素６０４をなす全情報である第１〜第３の情報要素１３１〜１３３を順に付加した構成になっている。
【００４６】
また、ＡＴＭ端末１１とＡＴＭスイッチ１２との間の通信で採用され、前述した従来文献に記載された通信規約に規定されているメッセージ、即ち通信パラメータの値と区別するために、通信パラメータ登録要求通知であることや後述する通信パラメータ登録確認通知であること等を識別する通信パラメータ種別は、この相互間通信のアプリケーションには規定されていないパラメータ値を両者間で予め規定しておく必要がある。
【００４７】
話を元に戻して、ＡＴＭシグナリング部１２ａは、ＡＴＭ端末１１から通信パラメータ登録要求通知７００を受信すると、通信パラメータ登録要求通知７００に含まれる通信パラメータ種別７１０から通信パラメータ登録要求通知であることを識別し、さらにラベル名記述子７３０から規定情報要素を操作対象とすることを認識する。
【００４８】
規定情報要素６０４は第１〜第３の情報要素１３１〜１３３から構成されており、ＡＴＭシグナリング部１２ａは、これらを従来例のようなＳＥＴＵＰの検証の場合と同様にフォーマットの正当性などを検証し、誤りがない場合、通信パラメータ登録要求通知７００に示されている前述した対応関係をＡＴＭ端末１１での登録処理の場合と同様に通信パラメータ対応テーブル１２ｂに通信パラメータとして登録する。
【００４９】
そして、ＡＴＭシグナリング部１２ａは、ＡＴＭ端末１１へ通信パラメータ登録確認通知８００を返信することによって、この登録完了の確認をＡＴＭ端末１１に通知する。
【００５０】
ここで、通信パラメータ登録確認通知８００のフォーマットは、図４に示すように、通信パラメータ登録確認通知であることを識別する通信パラメータ種別８１０と内容長（データ長）８２０とを通信パラメータメッセージの共通ヘッダ部とし、この共通ヘッダ部に通信パラメータ対応テーブル１２ｂに登録が完了したデータのラベル番号６０１が付加された構成になっている。
【００５１】
前述のような通信パラメータ登録要求通知７００と通信パラメータ登録確認通知８００の送受信により、ＡＴＭ端末１１とＡＴＭスイッチ１２とにおいて共に通信パラメータの登録、即ちシグナリングメッセージ中では、その規定情報要素の指定はそのラベル番号を指定すればよいというＡＴＭ端末１１とＡＴＭスイッチ１２との相互間通信でのシグナリングメッセージに関する約束が成立する。
【００５２】
従って、ＡＴＭ端末１１とＡＴＭスイッチ１２との間の通信において予め定義しておくべき規定情報要素が複数ある場合は、このようなＡＴＭ端末１１とＡＴＭスイッチ１２との間での上述した登録処理を繰り返して行えばよい。
【００５３】
そして、ＡＴＭ端末１１からＡＴＭスイッチ１２に向けて実際に例えば呼設定を行う場合、ＡＴＭ端末１１とＡＴＭスイッチ１２との間でシグナリングメッセージで指定する情報要素が通信パラメータとして前述したように予め定義されていれば、このような通信パラメータの登録に基づき、ＡＴＭシグナリング部１１ａは、後述するようにＳＥＴＵＰを作成しさらに発信して呼設定を行う。
【００５４】
即ち、この場合のＳＥＴＵＰ１００ａには、図５に示すように、従来、ＳＥＴＵＰ１００で付加していた第１〜第３の情報要素１３１〜１３３に相当する部分に、規定情報要素のみを操作対象とすることを識別するラベル名記述子７３０とその規定情報要素の内容を対応テーブル１１ｂ、１２ｂで指しているラベル番号６０１だけを付ける。
【００５５】
通信パラメータ対応テーブル１１ｂに規定情報要素が複数登録されていても、規定情報要素にはそれぞれを識別するラベル番号が対応づけられているため、ラベル番号を指定しておけばこの呼設定に関してどの規定情報要素がメッセージに付加して送信するか不明にはならない。
【００５６】
そして、図１に示すように、このようにして作成されたＳＥＴＵＰ１００ａは、ＡＴＭシグナリング部１１ａからＡＴＭスイッチ１２へ送信される．
【００５７】
ＡＴＭスイッチ１２がＳＥＴＵＰ１００ａを受信すると、ＡＴＭシグナリング部１２ａは、ラベル名記述子７３０からＳＥＴＵＰ１００ａに付加されているものが規定情報要素のみであることを識別する。
【００５８】
また、ラベル番号６０１は、通信パラメータ対応テーブル１２ｂに予め登録されているので、ＡＴＭシグナリング部１２ａは、通信パラメータ対応テーブル１２ｂの対応関係に基づいてラベル番号６０１から該当する規定情報要素を引き出すと共に、このメッセージの妥当性を容易に検証でき、これによって、従来と同様にＳＥＴＵＰ１００ａの全ての情報要素の検証を行うことができる。
【００５９】
従って、これ以降ＡＴＭシグナリング部１２ａは、ＳＥＴＵＰ１００ａが正常に受信できたことを示すために、ＡＴＭ端末１１にＣＡＬＬ  ＰＲＯＣ２００のメッセージを送信し、ＡＴＭ端末１１が目的とする図示しない相手端末のＡＴＭインタフェースにＳＥＴＵＰを送信する。
【００６０】
ここで、ＡＴＭスイッチ１２と図示しない相手端末との間では、通信パラメータの定義は特になされていないので、図示しない相手端末に発信されるこのＳＥＴＵＰは、通信パラメータを用いて規定情報要素を指定することはせず、前記従来例のように必要な規定情報要素を全て指定したＳＥＴＵＰの形式になる。
【００６１】
そして、ＡＴＭシグナリング部１１ａは、図示しない相手端末からＡＴＭスイッチ１２を介してＣＯＮ３００のメッセージを受信し、ＡＴＭスイッチ１２のＡＴＭインタフェースにＣＯＮ  ＡＣＫ４００のメッセージを送信することにより、全ての呼設定シーケンスが完了して、データ５００が送受信可能となる．
【００６２】
従って、上記実施の形態１によれば、シグナリングメッセージの交換に際して予め交換済みの通信パラメータ対応テーブルに基づいて付加したい情報要素に対応するラベルを決定してシグナリングメッセージに付加することで、送信側装置はメッセージの作成処理が軽減される一方、受信側装置はシグナリングメッセージの受信処理時の検査が軽減され、さらにメッセージ長も短かくなって転送遅延も軽減するから呼設定遅延を大幅に短縮することができる。
【００６３】
尚、上記の説明では、起動するアプリケーションが予め明らかであったが、例えば、パソコンのウィンドウ上で作業中にプリンタへ出力するため、新たにアプリケーションを起動する場合のように、呼設定を開始する際にＳＥＴＵＰに付加する情報要素が決定される場合がある。
【００６４】
この場合、被呼アドレスやピークセルレートなどのパラメータを新たに設定し、ＡＴＭシグナリング部ではそれらに基づいてＳＥＴＵＰを作成するが、実際の通信はこれらのパラメータを設定した後、すぐに開始されるとは限らない。
【００６５】
即ち、ユーザの意図的な動作や、パラメータ設定画面を終了してから実際の通信開始までに若干の時間差が生じる。この場合の処理では、上記と同様に図１のシーケンスに従って行われるが、通信パラメータ登録要求通知を送信するタイミングが、この新たなアプリケーションの起動直前となる。
【００６６】
実施の形態２．
実施の形態１では、ＡＴＭ端末１１とＡＴＭスイッチ１２との間でアプリケーションが起動する直前に通信パラメータの設定登録を行っているが、アプリケーションが起動する直前にこのような通信パラメータの設定登録を行なっていたのでは逆に呼設定に遅延が生じる場合がある。
【００６７】
そこで、例えば、通信が開始された後に相手との接続性を確認するメッセージ、例えばＴＣＴ／ＩＰプロトコルで用いられる通信状態の確認のためのコマンドであるｐｉｎｇのように直接的にコマンドを入力して通信パラメータを設定登録するようにしてもよい。
【００６８】
次に、実施の形態２を図６のシーケンス図に従って説明すると、まず始めに前記従来例に示した設定手順で呼設定を行う。この呼設定処理中、少なくともＳＥＴＵＰ１００の受信が確認できたことを示すＣＡＬＬ  ＰＲＯＣ２００をＡＴＭ端末１１が受信した後であれば、ＡＴＭシグナリング部１１ａは、呼設定やデータ通信に支障を与えないタイミングで、実施の形態１と同様に自ら通信パラメータ対応テーブル１１ａに規定情報要素を予め設定すると共に、ＡＴＭスイッチ１２に通信パラメータ登録要求通知７００を送信する。
【００６９】
そして、ＡＴＭシグナリング部１２ａは、通信パラメータ登録要求通知７００を受信すると、実施の形態１と同様に自ら通信パラメータ対応テーブル１２ｂに規定情報要素とラベル名とを対応付けて通信パラメータとして登録すると共に通信パラメータ登録確認通知８００をＡＴＭ端末１１に送信する。
【００７０】
従って、上記実施の形態２によれば、最初の呼設定遅延は従来と同じであるが、それ以降のシグナリングメッセージの交換に際して予め交換済みの通信パラメータ対応テーブルに基づいて付加したい情報要素に対応するラベルを決定してシグナリングメッセージに付加することで、送信側装置はメッセージの作成処理が軽減される一方、受信側装置はシグナリングメッセージの受信処理時の検査が軽減され、さらにメッセージ長も短かくなって転送遅延も軽減するから呼設定遅延を大幅に短縮することができる。
【００７１】
実施の形態３．
例えば、実施の形態１、２において、例えばＳＥＴＵＰに付加される情報要素の中に、例えば通信途中でＬＡＮＥサーバが変更になった場合にその変更に臨機応変に対応できるよう部分的に情報要素の一部をなす被呼アドレスの部分だけを後で変更したい場合がある。
【００７２】
一方、例えばＳＥＴＵＰに付加される情報要素の中に、例えばデータ以外に画像も送信する場合に対応できるよう部分的に情報要素の一部をなすＡＴＭトラフィック記述子のピークセルレートの部分だけを後で変更したい場合がある。
【００７３】
従って、通信パラメータ対応テーブル１１ｂ、１２ｂにそれぞれ予め設定する情報要素は、前者のような場合は、後にその内容が絶対に変更されない固定情報要素の部分と場合によっては後にその内容が変更されることも有り得る可変情報要素の部分とに分けることより、また、後者のような場合は、前述した規定情報要素とその規定情報要素中のデータの一部であって場合によっては後に変更されることも有り得る新たに付加した変動パラメータとによりそれぞれ構成する。
即ち、後者の場合は規定情報要素にこの規定情報要素の一部をなす内容変更が可能な変動パラメータを新たに付加して情報要素を新たに構成する。
【００７４】
そして、後に変更され得る情報要素の部分は、前者のような場合は情報内容の変更が可能な可変情報要素として、また、後者のような場合は情報内容の変更が可能な変動パラメータとしてそれぞれ予め定義して各テーブルに登録し、それら部分は後に変更が必要になった場合に変更するようにすればよい。
【００７５】
ここで、変更が必要になった時とは、前述した被呼アドレスの部分やＡＴＭトラフィック記述子のピークセルレートの部分を変更する場合を想定して、実施の形態３では例えば呼設定を行う段階を取り上げ、後述するように、ＳＥＴＵＰのメッセージ中で対象とするデータを変更する場合を説明する。
【００７６】
そして、初期設定の段階での通信パラメータ登録要求通知７００ａ、７００ｂのフォーマットは、それぞれ図７、図８に示すようなフォーマットを採用する。
【００７７】
即ち、前者のような場合は、図７に示すように、通信パラメータ登録要求通知７００ａであることを識別する通信パラメータ種別７１０とその内容長７２０とを通信パラメータメッセージの共通ヘッダ部とし、この共通ヘッダ部に固定情報要素及び可変情報要素とで構成された情報要素を操作対象とすることを識別するラベル名記述子７３０とラベル番号６０１を付加し、さらに引き続いて固定情報要素の全情報である第１及び第２の情報要素１３１、１３２と可変情報要素の全情報である第３及び第４の情報要素１３３、１３４とを順に付加した構成になっている。
【００７８】
また、後者のような場合は、図８に示すように、通信パラメータ登録要求通知７００ｂであることを識別する通信パラメータ種別７１０とその全内容長７２０とを通信パラメータメッセージの共通ヘッダ部とし、この共通ヘッダ部に、規定情報要素及び規定情報要素中のデータの一部である変動パラメータとで構成された情報要素を登録対象とすることを識別するラベル名記述子７３０とラベル番号６０１を付加し、さらに引き続いて規定情報要素の全情報である第１及び第２の情報要素１３１、１３２と第１及び第２の情報要素１３１、１３２の中で変更される可能性のある変動パラメータの全情報である第１及び第２の変動パラメータ１３１ｃａ〜１３１ｃｃ、１３２ｃａ〜１３２ｃｃとを順に付加した構成になっている。
【００７９】
さらに、前者のような場合については、そのフォーマット内では固定情報要素と可変情報要素とが容易に識別できるように、固定情報要素の全情報である第１及び第２の情報要素１３１、１３２の前に固定情報要素記述子７４１とその内容長を示す固定情報要素内容長７４２を設定し、同様に可変情報要素の全情報である第３及び第４の情報要素１３３、１３４の前に可変情報要素記述子７４３とその内容長を示す可変情報要素内容長７４４を設定するようになっている。
【００８０】
一方、後者のような場合については、そのフォーマット内では規定情報要素と変動パラメータとが容易に識別できるように、情報要素の全情報である第１及び第２の情報要素１３１、１３２の前に規定情報要素記述子７４５とその内容長を示す規定情報要素内容長７４６を設定し、同様に変動パラメータの全情報である第１及び第２の変動パラメータ１３１ｃａ〜１３１ｃｃ、１３２ｃａ〜１３２ｃｃの前に変動パラメータ記述子７４７とその内容長を示す変動パラメータ内容長７４８を設定するようになっている。
【００８１】
そして、ＡＴＭシグナリング部１１ａは、実施の形態１、２の場合と同様に、固定情報要素及び可変情報要素で又は規定情報要素及び変動パラメータで構成された情報要素をラベル番号にそれぞれ対応させて自ら通信パラメータ対応テーブル１１ａに通信パラメータとして登録すると共に、このようなフォーマットに従った通信パラメータ登録要求通知７００ａ、７００ｂをＡＴＭスイッチ１２に送信して通信パラメータ対応テーブル１２ｂにこれら対応関係の登録を要求するようになっている。
【００８２】
一方、通信パラメータ登録要求通知７００ａ、７００ｂを受信したＡＴＭスイッチ１２は、この通信パラメータ登録要求通知７００ａ、７００ｂの共通ヘッダ部に従って、ラベル番号６０１ａ、６０１ｂと情報要素とを対応させて通信パラメータ対応テーブル１２ｂに図９に示すように自ら登録するようになっている。
【００８３】
そして、ＡＴＭ端末１１とＡＴＭスイッチ１２との間の通信が終了した後通信を再開する際に、あえて可変情報要素を変更する必要が発生した場合は、通信再開に際して再度呼設定する際のＳＥＴＵＰでデータの変更において、前者のような場合では図１０に示すような、一方、後者のような場合では図１１に示すような構成を採用するＳＥＴＵＰをそれぞれ用いればよい。
【００８４】
即ち、ＳＥＴＵＰのフォーマットは、前記従来例のＳＥＴＵＰ１００のメッセージの情報要素に相当する部分に、対象とする情報要素の種別を識別するラベル名記述子７３０と、そして、前者のような場合であれば通信パラメータ対応テーブルのどのデータに対するものであるかを示すラベル番号６０１ａと、図１０に示すように、変更対象とする可変情報要素の新たな内容である第３及び第４の情報要素１３３、１３４とを、一方、後者のような場合であれば通信パラメータ対応テーブルのどのデータに対するものであるかを示すラベル番号６０１ｂと、図１１に示すように、変更対象とする変動パラメータ１の識別子１３１ｃａ及びその内容１３１ｃｂと変動パラメータ２の識別子１３２ａａ及びその内容１３２ｃａとをそれぞれ付加する。
【００８５】
このように、メッセージ中のこれら情報要素の部分については、前者のような場合であれば、例えば第３の情報要素１３３を例にとると、図１０に示すように第３の情報要素１３３は第３の情報要素１３３の識別子１３３ａと第３の情報要素１３３の内容長１３３ｂと第３の情報要素１３３の内容１３３ｃとで、一方、後者のような場合であれば、例えば変動パラメータ１を例にとると、図１１に示すように規定情報要素である第３の情報要素１３１の一部をなす変動パラメータ１は変動パラメータ１の識別子１３１ｃａと変動パラメータ１の内容１３１ｃｃとでそれぞれ構成される。
【００８６】
尚、図１０又は図１１に示すようなＳＥＴＵＰ１００ｂ、１００ｃで対象とする情報要素の種別を識別するラベル名記述子７３０を指定することとしたのは、前者のような場合では、ＳＥＴＵＰ１００ｂ、１００ｃで指定したラベル番号６０１ａ、６０１ｂと通信パラメータ対応テーブル１２ｂでのラベル番号６０１ａ、６０１ｂとの対応により、対象とするデータの固定情報要素又は規定情報要素は明らかなので、それらをあえて指定する必要はないからである。
【００８７】
さらに、後者のような場合に、ＳＥＴＵＰ１００ｃで変動パラメータを識別する識別子を指定せず、変動パラメータの部分をなすパラメータである部分パラメータ識別子及び部分パラメータ内容を直接指定することとしたのは、指定する変動パラメータを通信パラメータ登録要求通知７００ｂで指定した変動パラメータ１、２の順で、ＳＥＴＵＰ１００ｃで部分パラメータ１、２の識別子及び内容を設定することにより、その対応関係はＡＴＭ端末１１とＡＴＭスイッチ１２との間では明らかとなり、ＳＥＴＵＰ１００ｃに含まれる情報量をより少なくすることができるからである。
【００８８】
話しを元に戻して、その後、ＳＥＴＵＰ１００ｂ、１００ｃを受信したＡＴＭシグナリング部１２ａは、ラベル名記述子７３０から対象とするデータが固定情報要素と可変情報要素とを含むこと、又は規定情報要素と変動パラメータとを含むことを認識する。
【００８９】
そして、ラベル番号６０１ａ、６０１ｂについて、通信パラメータ対応テーブル１２ｂに該当するものが登録されているので、ＡＴＭシグナリング部１２ａは、通信パラメータ対応テーブル１２ｂの該当するデータの可変情報要素を新たに変更指定した可変情報要素に変更するか、又は該当するデータの規定情報要素の該当部分を新たに変更指定した変動パラメータに変更すると共に、その新たなＳＥＴＵＰ１００ｂ、１００ｃのデータ妥当性を検証して、通常のＳＥＴＵＰを受信した場合と同様な処理を行なうことにより、ＳＥＴＵＰの全ての情報要素の検証を行うことができる。
【００９０】
従って、上記実施の形態３によれば、シグナリングメッセージの交換に際して予め交換済みの通信パラメータ対応テーブルに基づいて付加したい情報要素に対応するラベルを決定してシグナリングメッセージに付加し、変更予定のある情報も予め登録できるようにしておくことにより、柔軟なＡＴＭシステムの構築が可能になり、送信側装置はメッセージの作成処理が軽減される一方、受信側装置はシグナリングメッセージの受信処理時の検査が軽減され、さらにメッセージ長も短かくなって転送遅延も軽減するから呼設定遅延を大幅に短縮することができる。
【００９１】
実施の形態４．
例えば、実施の形態３では、通信パラメータの変更は再び呼設定する場合のＳＥＴＵＰ１００ｂ，１００ｃ中で行っているが、状況によっては、再度の呼設定の前の段階で、又は呼設定後のＡＴＭ端末１１とＡＴＭスイッチ１２との間の通常の通信中に、前述した可変情報要素や前述した変動パラメータの変更が必要になるのが一般的である。
【００９２】
従って、実施の形態４では、呼設定ではない段階でデータの変更を行う場合について説明する。
この場合、ＡＴＭシグナリング部１１ａは、変更対象とする可変情報要素又は変動パラメータを指定した通信パラメータ変更要求をＡＴＭスイッチ１２に送信する。
【００９３】
通信パラメータ変更要求のフォーマットは図１２叉は図１３に示すように、即ち、実施の形態３で指す前者のような場合は、図１２に示すように、通信パラメータ変更要求通知８００ａであることを識別する通信パラメータ種別７１０とその全内容長７２０とを通信パラメータ変更要求のメッセージの共通ヘッダ部とし、この共通ヘッダ部に、固定情報要素及び可変情報要素で構成された情報要素を操作対象とすることを識別するラベル名記述子７３０とさらにラベル番号６０１を付加し、さらに引き続いて固定情報要素の全情報である第１及び第２の情報要素１３１、１３２と可変情報要素の全情報である第３及び第４の情報要素１３３、１３４とを順に付加した構成になっている。
【００９４】
また、実施の形態３で指す後者のような場合は、図１３に示すように、通信パラメータ変更要求通知８００ｂであることを識別する通信パラメータ種別７１０とその全内容長（データ長さ）７２０とを通信パラメータ変更要求のメッセージの共通ヘッダ部とし、この共通ヘッダ部に、規定情報要素及び規定情報要素中のデータの一部である変動パラメータで構成された情報要素を操作対象とすることを識別するラベル名記述子７３０とラベル番号６０１を付加し、さらに引き続いて規定情報要素の全情報である第１及び第２の情報要素１３１、１３２と第１及び第２の情報要素１３１、１３２の中で変更される可能性のある変動パラメータの全情報である第１及び第２の変動パラメータ１３１ｃａ〜１３１ｃｃ、１３２ｃａ〜１３２ｃｃとを順に付加した構成になっている。
【００９５】
また、前者のような場合については、そのフォーマット内では固定情報要素と可変情報要素とが容易に識別できるように、固定情報要素の全情報である第１及び第２の情報要素１３１、１３２の前に固定情報要素記述子７４１とその内容長を示す固定情報要素内容長７４２を設定し、同様に可変情報要素の全情報である第３及び第４の情報要素１３３、１３４の前に可変情報要素記述子７４３とその内容長を示す可変情報要素内容長７４４を設定するようになっている。
【００９６】
一方、後者のような場合については、そのフォーマット内では規定情報要素と変動パラメータとが容易に識別できるように、情報要素の全情報である第１及び第２の情報要素１３１、１３２の前に規定情報要素記述子７４５とその内容長を示す規定情報要素内容長７４６を設定し、同様に変動パラメータの全情報である第１及び第２の変動パラメータ１３１ｃａ〜１３１ｃｃ、１３２ｃａ〜１３２ｃｃの前に変動パラメータ記述子７４７とその内容長を示す変動パラメータ内容長７４８を設定するようになっている。
【００９７】
そして、例えばＡＴＭ端末１１とＡＴＭスイッチ１２との通信中に前述したようなデータの変更が必要になった場合、図１４に示すように、ＡＴＭシグナリング部１１ａは、前述したフォーマットに従った通信パラメータ変更要求通知８００ａ又は８００ｂを作成してＡＴＭスイッチ１２に出力すると共に、通信パラメータ対応テーブル１１ｂの登録内容をラベル番号６０１に基づいて捜し出して該当部分を変更する。
【００９８】
一方、ＡＴＭスイッチ１２がＡＴＭ端末１１から通信パラメータ変更要求通知８００ａ又は８００ｂを受信すると、ＡＴＭシグナリング部１１ａは、通信パラメータ種別７１０から通信パラメータ変更要求通知８００ａ又は８００ｂであることを識別し、ラベル名記述子７２０から操作対象とするデータの種別を識別する。
【００９９】
そして、ＡＴＭシグナリング部１２ａは、前述したＳＥＴＵＰの検証の場合と同様に、フォーマットの正当性等を検証し、さらに必要であれば他の情報要素と関連のある内容については通信パラメータ対応テーブル１２ｂの該当するラベル番号の登録内容と組み合わせて検証し、誤りがなかった場合、その対応をＡＴＭ端末１１での変更処理と同様に通信パラメータ対応テーブル１２ｂの登録内容を変更する。
【０１００】
さらに、この登録の確認をＡＴＭ端末１１に示すために、ＡＴＭシグナリング部１１ａは、図１４に示すように、通信パラメータ変更確認通知９００を作成してＡＴＭ端末１１へ返信することによって、通信パラメータ対応テーブル１１ｂ、１２ｂでは、共に目的とするデータの変更が行われる。
【０１０１】
ここで、通信パラメータ変更確認通知９００のフォーマットは、図１５に示すように、通信パラメータ変更確認通知９００であることを識別する通信パラメータ種別８１０とその全内容長８２０を通信パラメータメッセージの共通ヘッダ部とし、この共通ヘッダ部に通信パラメータ対応テーブル１２ｂで変更の完了したデータのラベル番号６０１を指定する構成となっている。
【０１０２】
従って、上記実施の形態４によれば、シグナリングメッセージの交換に際して予め交換済みの通信パラメータ対応テーブルに基づいて付加したい情報要素に対応するラベルを決定してシグナリングメッセージに付加しているが、通信パラメータ対応テーブルの内容を変更可能とすることで、柔軟なＡＴＭ通信システムの構築が可能となる。
【０１０３】
実施の形態５．
ＡＴＭ端末１１からＡＴＭスイッチ１２にＳＥＴＵＰが送信され、ＡＴＭスイッチ１２からＡＴＭ端末１１にＣＯＮが返信されて両者の間で通信が開始されても、通信パラメータ登録要求がＡＴＭ端末１１から一向に送信されてこない場合、ＡＴＭスイッチ１２は、ＡＴＭ端末１１に通信パラメータ登録要求の送信を催促するようにしてもよい。
【０１０４】
図１６に示すようにＳＥＴＵＰの受信側であるＡＴＭスイッチ１２の内部にはさらにタイマ１２ｃを設け、ＡＴＭシグナリング部１２ａが呼設定を行った起動側であるＡＴＭ端末１１にＣＯＮを送信した後に、タイマ１２ｃを起動し、タイマ１２ｃのタイムアウト後、ＡＴＭシグナリング部１２ａは、ＡＴＭ端末１１に対して通信パラメータ登録要求の送信を促す通信パラメータ登録起動要求通知１０００を送信するようになっている。
【０１０５】
ここで、通信パラメータ登録起動要求通知１０００のフォーマットは図１８に示すように、通信パラメータ登録起動要求通知であることを識別する通信パラメータ種別８１０とその全内容長８２０とを通信パラメータメッセージの共通ヘッダ部とし、この共通ヘッダ部に通信パラメータ登録を問い合わせる呼を識別する呼番号１０１０を付加した構成となっている。
【０１０６】
そして、ＡＴＭシグナリング部１１ａは、ＡＴＭスイッチ１２からの通信パラメータ登録起動要求通知１０００を受信して、通信パラメータを登録する意志があれば、前述したような通信パラメータ登録要求を作成してＡＴＭスイッチ１２に送信し、前述したような通信パラメータの登録処理を行うようになっている。
【０１０７】
一方、ＡＴＭシグナリング部１１ａは、ＡＴＭスイッチ１２からの通信パラメータ登録起動要求通知１０００に対して通信パラメータを登録する意志がない場合は、図１７に示すように、通信パラメータ非登録通知１１００を作成してＡＴＭスイッチ１２に送信し、通信パラメータの登録を行わないことをＡＴＭ端末１１に通知する。
【０１０８】
ここで、通信パラメータ非登録通知１１００のフォーマットは、通信パラメータ登録起動要求通知１０００と同様に、図１９に示すように、通信パラメータ非登録通知であることを識別する通信パラメータ種別８１０とその全内容長（データ長）８２０を通信パラメータメッセージの共通ヘッダ部とし、この共通ヘッダ部に通信パラメータの起動の問い合わせのあった呼に対応する呼番号１０１０を付加した構成になっている。
【０１０９】
従って、この段階ではＡＴＭ端末１１とＡＴＭスイッチ１２の双方に通信パラメータ対応テーブル１１ａ、１２ａが設定されないことが明らかであるが、通信パラメータ非登録通知１１００を受信したＡＴＭスイッチ１２は、さらに確認のために通信パラメータ非登録通知確認通知１２００をＡＴＭ端末１１に送信してもよい。
【０１１０】
ここで、通信パラメータ非登録確認通知１２００のフォーマットは、通信パラメータ登録起動要求通知１０００や通信パラメータ非登録通知１１００と同様、図２０に示すように、通信パラメータ非登録確認通知１２００であることを識別する通信パラメータ種別８１０とその全内容長（データ長）８２０を通信パラメータメッセージの共通ヘッダ部とし、この共通ヘッダ部に、通信パラメータの登録を行なわないこの通知を受けた呼に対応する呼番号１０１０を付加した構成となっている。
【０１１１】
従って、上記実施の形態５によれば、シグナリングメッセージの交換に際して予め交換済みの通信パラメータ対応テーブルに基づいて付加したい情報要素に対応するラベルを決定してシグナリングメッセージに付加することを促すことにより、それ以降の送信側装置はメッセージの作成処理が軽減される一方、受信側装置はシグナリングメッセージの受信処理時の検査が軽減され、さらにメッセージ長も短かくなって転送遅延も軽減するから呼設定遅延を大幅に短縮することができる。
【０１１２】
実施の形態６．
例えば、前述した実施の形態において、通信パラメータ登録要求又は通信パラメータ変更要求の内容に、使用するアプリケーションで規定する符号上の誤りや呼受付制御での受付拒否等による何らかの誤りや拒否要因があった場合、ＡＴＭスイッチ１２は通信パラメータの登録又は変更（変更も登録の一形態と考えられる）を拒否する応答、即ち通信パラメータ登録拒否応答を返し、通信パラメータの登録又は変更が失敗したことをＡＴＭ端末１１に通知するようにしてもよい。
【０１１３】
ここで、上述した通信パラメータ登録拒否応答通知１３００のフォーマットは、図２１に示すように、通信パラメータ登録拒否応答通知１３００であることを識別する通信パラメータ種別８１０と、その全内容長（データ長）８２０を通信パラメータメッセージの共通ヘッダ部として付加し、この共通ヘッダ部に、不正な通信パラメータ登録要求通知８００に対応するラベル番号１３１０、さらに誤り毎の誤りの要因を示す予め定められた原因値１３２０ａと予め定められた診断符号１３２０ｂとの組合わせを付加した構成になっている。
【０１１４】
そして、通信パラメータ登録拒否応答通知１３００を受信したＡＴＭシグナリング部１１ａは、原因値１３２０ａと診断符号１３２０ｂとの組合わせに基づいて該当するメッセージを修正し、さらに修正を施した通信パラメータ登録要求又は通信パラメータ変更要求をＡＴＭスイッチ１２へ再送することによって、通信パラメータの登録又は変更を再度試みるようにしてもよい。以後の処理は前述した実施の形態と同様なので、その説明を省略する。
【０１１５】
そして、ＡＴＭシグナリング部１１ａが、通信パラメータ登録拒否応答通知１３００に基づいて修正を施したメッセージをＡＴＭスイッチ１２へ再送する回数が予め定められた再送回数を超えたこと等の理由から、ＡＴＭシグナリング部１１ａがこの様な再度の試みを断念した場合、ＡＴＭシグナリング部１１ａは通信パラメータ対応テーブル１１ａに登録や変更をした該当データを登録や変更前の状態に戻して、通信パラメータ対応テーブル１１ｂ、１２ｂの両登録内容を一致させるようにしてもよい。
【０１１６】
従って、上記実施の形態６によれば、登録したい情報要素の検査を確実に行うことで、従来のＡＴＭ通信システムの信頼性を呼受付制御などの処理機能を損なうことなく、シグナリングメッセージの交換に際して予め交換済みの通信パラメータ対応テーブルに基づいて付加したい情報要素に対応するラベルを決定することができる。
【０１１７】
実施の形態７．
前述した実施の形態では通信パラメータ対応テーブル１１ｂ、１２ｂにデータを新規に登録又は変更する処理を主に説明したが、実施の形態７では通信パラメータ対応テーブル１１ｂ、１２ｂからデータを削除する処理を説明する。
【０１１８】
通信パラメータ対応テーブル１１ｂ、１２ｂからデータを削除する場合、ＡＴＭシグナリング部１１ａは、通信パラメータ登録削除要求通知１４００を作成すると共に、ＡＴＭスイッチ１２に送信する。
【０１１９】
ここで、通信パラメータ登録削除要求通知１４００のフォーマットは、図２２に示すように、通信パラメータ登録削除要求通知であることを識別する通信パラメータ種別８１０とその全内容長（データ長）８２０を通信パラメータメッセージの共通ヘッダ部として付加し、この共通ヘッダ部に、テーブルから登録を削除しようとするデータのラベル番号６０１を付加した構成となっている。
【０１２０】
そして、通信パラメータ対応テーブル１１ｂ、１２ｂに、登録を削除しようとするデータが複数ある場合は、通信パラメータ登録削除要求通知１４００では対象とするデータのラベル番号を複数設定する。
【０１２１】
さらに、通信パラメータ対応テーブル１１ｂ、１２ｂの全てのデータの登録を削除する場合は、通信パラメータ登録削除要求通知１４００では対象とするデータの全てのラベル番号を設定するか、又は全てのデータの削除を要求することを示す予め定められた特殊符号をラベル番号の代わりに設定すればよい。
【０１２２】
そして、このようなデータの削除が必要になった場合、ＡＴＭシグナリング部１１ａは、前述したフォーマットに従った通信パラメータ登録削除要求通知１４００を作成してＡＴＭスイッチ１２に出力すると共に、通信パラメータ対応テーブル１１ｂ中の該当する登録内容をラベル番号６０１に基づいて捜し出す（特定する）。
【０１２３】
一方、ＡＴＭスイッチ１２がＡＴＭ端末１１から通信パラメータ登録削除要求通知１４００を受信すると、ＡＴＭシグナリング部１２ａは、通信パラメータ種別８１０から通信パラメータ削除要求通知１４００であることを識別し、前述したＳＥＴＵＰの検証の場合と同様に、フォーマットの正当性等を検証する。
【０１２４】
さらに、ＡＴＭシグナリング部１２ａは、ＡＴＭ端末１１での登録削除処理の場合と同様に、ＡＴＭシグナリング部１２ａは、ラベル番号から登録削除の対象とするデータを捜し出し、その該当するデータを通信パラメータ対応テーブル１２ｂから削除する。
【０１２５】
さらに，ＡＴＭシグナリング部１２ａは、この対象データの登録削除の確認をＡＴＭ端末１１に通知するために、ＡＴＭ端末１１に通信パラメータ登録削除確認通知１５００を送信する。
【０１２６】
ここで、通信パラメータ登録削除確認通知１５００のフォーマットは、図２３に示すように、通信パラメータ登録削除確認通知１５００であることを識別する通信パラメータ種別８１０とその全内容長（データ長）８２０を通信パラメータメッセージの共通ヘッダ部とし、この共通ヘッダ部に通信パラメータの登録の削除を要求されたラベル番号と同じラベル番号６０１とから構成される。
【０１２７】
そして、通信パラメータ登録削除確認通知１５００を受信したＡＴＭ端末１１のＡＴＭシグナリング部１１ａは、通信パラメータ対応テーブル１１ｂからその対象とするデータの登録を削除する。
【０１２８】
このように、通信パラメータ対応テーブル１１ａ、１２ａから対象データを削除するタイミングは、通信パラメータ対応テーブル１２ａでは通信パラメータ登録削除要求通知１４００を受信した場合であり、通信パラメータ対応テーブル１１ａでは通信パラメータ登録削除確認通知１５００を受信した場合にそれぞれ行なうことで、両テーブルではデータの登録削除の整合性が確認される。
【０１２９】
従って、上記実施の形態７によれば、必要のなくなった通信パラメータ対応テーブルの情報を削除することでＡＴＭ装置のリソースの有効利用を図ることができる。
【０１３０】
実施の形態８．
各ＡＴＭ通信装置が停電や回線の抜き差し等による回線の物理的断線が生じその後復旧した場合も、それ以前に接続されていたＡＴＭ端末１１とＡＴＭスイッチ１２とであるかどうかの認証を、例えばＡＴＭフォーラムＩＬＭＩ手順などを用いて行ない、確認が取れた場合に、通信パラメータ対応テーブル１１ｂ、１２ｂの登録内容が障害前と不変であるとみなして、以後の呼設定には通信パラメータ対応テーブル１１ｂ、１２ｂの登録内容をそのまま用いて高速な呼設定を行なうことができる。
【０１３１】
このことは、各ＡＴＭ通信装置が通信パラメータ対応テーブル１１ｂ、１２ｂの登録内容が破壊されていないことが前提であるが、実際は停電によってこれらテーブルを構成する例えばデータベースの登録内容が破壊されている場合も考えられるので、復旧後にデータベースの登録内容、即ちお互いのテーブル１１ｂ、１２ｂの登録内容の整合性を取るようにしてもよい。
【０１３２】
図２４は、障害から復旧した後の登録内容確認通知（以下、データベース通知という）がＡＴＭ端末１１から送信された場合のシーケンスを、逆に、図２４は、データベース通知がＡＴＭスイッチ１２から先に出力された場合のシーケンスをそれぞれ示している。
【０１３３】
この確認はＡＴＭ端末１１とＡＴＭスイッチ１２のいずれの側から開始してもよく、また双方で同時に開始してもよいが、ここではＡＴＭ端末１１から先に開始した場合（図２４の場合）を以下に示す。
【０１３４】
停電から復旧すると始めにＡＴＭ端末１１では、ＡＴＭシグナリグ部１１ａはデータベース通知１６００を作成し、このデータベース通知はＡＴＭ端末１１からＡＴＭスイッチ１２に向けて送信される。
【０１３５】
ここで、データベース通知は、通信パラメータ対応テーブル１１ｂの登録内容を順に並べたものである。そして、データベース通知１６００のフォーマットとしては、図２６又は図２７のどちらかの形式のものを使用する。
【０１３６】
図２６に示すフォーマット１６００ａは、ラベル番号のみを示すデータベース通知であることを識別する通信パラメータ種別８１０とその全内容長８２０とを通信パラメータメッセージの共通ヘッダ部として付加し、この共通ヘッダ部に、データベースとして登録されている通信パラメータ対応テーブル１１ｂの登録内容が指すラベル番号６０１等を順にを設定したものである。
【０１３７】
また、図２７に示すフォーマット１６００ｂは、全ての登録情報を示すデータベース通知であることを識別する通信パラメータ種別８１０とその全内容長８２０とを通信パラメータメッセージの共通ヘッダ部として付加し、この共通ヘッダ部に、データベースとして登録されている通信パラメータ対応テーブル１１ｂの登録内容が指すラベル番号６０１等とそのラベル番号に対応するデータの内容長１６００ａ等とそのラベル番号に対応したデータの全情報（内容）１６００ｂ等とを設定したものである。
【０１３８】
そして、データベース通知１６００を受信したＡＴＭスイッチ１２では、ＡＴＭシグナリグ部１２ａが、その内容を自らが持つ通信パラメータ対応テーブル１２ｂの内容と照合する。
【０１３９】
そして、照合が確認されれば、ＡＴＭシグナリグ部１２ａはデータ照合確認通知（以下、データベース通知確認通知という）１７００を作成し、さらに、このデータベース通知確認通知１７００は、ＡＴＭスイッチ１２からＡＴＭ端末１１に向けて送信しその確認をＡＴＭ端末１１に通知する。
【０１４０】
ここで、データベース通知確認通知１７００のフォーマットは、図２８に示すように、データベース通知確認通知１７００であることを識別する通信パラメータ種別８１０と、その全内容長８２０を通信パラメータメッセージの共通ヘッダ部として構成したものである。
【０１４１】
逆に、通信パラメータ対応テーブル１２ｂの登録内容の照合が一致しなかった場合は、誤りがあった、即ち登録内容に破壊があったとして、図２９に示すように、その誤りのあった登録内容を示した通信パラメータ登録削除要求通知１８００を送信することによってその登録内容を削除し、またその受信側では確認応答として、通信パラメータ登録削除確認通知１９００を返すことによって、不正なエントリを通信パラメータ対応テーブル１１ｂ、１２ｂから削除するようにしてもよい。
【０１４２】
通信パラメータ登録削除要求及び通信パラメータ登録削除確認については前述した実施の形態の場合と同様である。
【０１４３】
また、データベース通知１６００がＡＴＭスイッチ１２から先に出力された場合のシーケンスは図２５に示すようになるが、この場合の処理は、ＡＴＭ端末１１からデータベース通知１６００から出力された場合と同様である。
【０１４４】
ＡＴＭ端末１１とＡＴＭスイッチ１２が同時にデータベース通知１６００を互いに出力して処理を行う場合は、ＡＴＭ端末１１とＡＴＭスイッチ１２は、それぞれ受信したデータベース通知に基づいて互いに独立して前述したデータ照合を行い、いずれの装置においても誤りが無ければ、全く応答を返さないことでデータの照合が完了したことが確認できる。
【０１４５】
従って、上記実施の形態８によれば、シグナリングメッセージの交換に際して予め交換済みの通信パラメータ対応テーブルに基づいて付加したい情報要素に対応するラベルを決定してシグナリングメッセージに付加することで、送信側装置はメッセージの作成処理が軽減される一方、受信側装置はシグナリングメッセージの受信処理時の検査が軽減され、さらにメッセージ長も短かくなって転送遅延も軽減するから呼設定遅延を大幅に短縮することができる。
【０１４６】
実施の形態９．
前述した以上の実施の形態では、通信パラメータの登録対象メッセージとしてＳＥＴＵＰを例にとって説明しているが、例えば情報要素の数が比較的多いＡＤＤメッセージ等、他のシグナリングメッセージにも適用してもよく、このようにすれば様々なシグナリング処理において処理が高速になる。
【０１４７】
実施の形態１０．
また、通信パラメータメッセージを通常のシグナリングチャネル上で転送していたが、ＡＴＭフォーラムＵＮＩシグナリングのメッセージとは異なることを明確に示し処理をより簡単にするために、ユーザ情報以外の予約領域のチャネルのうち未割当てのチャネルを使用してアウトバンドシグナリングで転送しても同様な効果が得られる。
【０１４８】
実施の形態１１．
また、前述した以上の実施の形態では、通信パラメータ対応テーブル１１ｂ、１２ｂの作成は、シグナリングメッセージの交換により行っているが、これらテーブルは予め手動で設定して作成してもよく、シグナリングメッセージの作成に際して必要なエントリを取り出してその対応するラベルや情報要素等を設定しメッセージを発信することによっても、高速なシグナリング処理が実現できる。
【０１４９】
実施の形態１２．
また、前述した以上の実施の形態では、通信パラメータ対応テーブル１１ｂ、１２ｂの各エントリの少なくとも一部の情報要素等が、他のプロトコルで決定できるような場合も、予め通信パラメータ対応テーブルに設定され、図１４で示されるような通信パラメータ登録変更手順を用いて他の必要な情報要素を決定してもよい。
【０１５０】
例えば、ＰＮＮＩルーティングプロトコルにより、相手端末までのルーティングテーブルを取得することによって、被呼アドレスから求められる明らかな相手端末までのルーティング情報を呼設定以前に取得することができる。
【０１５１】
実施の形態１３．
また、前述した以上の実施の形態において、ＡＴＭ端末１１とＡＴＭスイッチ１２との間の上述した通信が終了し呼の解放が行なわれた後も，各ＡＴＭ通信装置がそれぞれ登録している通信パラメータ対応テーブル１１ｂ、１２ｂの内容を削除せず、後の同じ情報要素内容を使用する呼設定に利用すれば、高速な呼設定を実行することができる。
【０１５２】
尚、前述した以上の実施の形態において、ＡＴＭ端末１１が呼設定の起動（最初に発信）をすることを想定し、通信パラメータメッセージの起動側をＡＴＭ端末１１にして説明しているが、図示しない相手端末である着端末側では呼設定を起動するのがＡＴＭスイッチ１２となるので、ＡＴＭスイッチ１２と図示しない相手端末との間で通信パラメータの設定を行う場合では、通信パラメータメッセージの起動側はＡＴＭスイッチ１２になる。
【０１５３】
【発明の効果】
この発明によれば、送信するシグナリングメッセージの作成及び受信したシグナリングメッセージの検証を行うＡＴＭシグナリング部が設けられた第１及び第２のＡＴＭ装置それぞれ有し、シグナリングメッセージに基づいてこれら両者間の通信を行うＡＴＭ通信システムにおいて、シグナリングメッセージの中で指定されるラベルとそれに対応した情報要素とが対応付けられて登録され互いの登録内容が等しい対応テーブルを第１及び第２のＡＴＭ装置がそれぞれ有し、第１のＡＴＭ装置のＡＴＭシグナリング部は、送信するシグナリングメッセージの作成に際して第１のＡＴＭ装置の対応テーブルに登録されたラベルをシグナリングメッセージ内で指定してシグナリングメッセージを作成すると共に、第２のＡＴＭ装置のＡＴＭシグナリング部は、受信したシグナリングメッセージの検証に際してシグナリングメッセージの中で指定されたラベルが前記第２のＡＴＭ装置の対応テーブルに登録されているか否かを確認するようにしたので、シグナリングメッセージのコネクション交換処理を高速に行なうことのできるＡＴＭ通信システムを得ることができる。
【０１５４】
また、第１のＡＴＭ装置のＡＴＭシグナリング部は、第２のＡＴＭ装置の対応テーブルに登録するラベルと該ラベルに対応した情報要素及び第２のＡＴＭ装置の対応テーブルに登録を要求する登録要求通知を第２のＡＴＭ装置に出力し、第２のＡＴＭ装置のＡＴＭシグナリング部は、受信した登録要求通知に基づいてラベルとラベルに対応した情報要素とを第２のＡＴＭ装置の対応テーブルに登録するようにしたので、シグナリングメッセージのコネクション交換処理を高速に行なうことのできるＡＴＭ通信システムを得ることができる。
【０１５５】
また、情報要素は、内容変更が不可能な固定部分の集合体と内容変更が可能な可変部分の集合体とに分けたので、シグナリングメッセージのコネクション交換処理を高速に行なうことのできるＡＴＭ通信システムを得ることができる。
【０１５６】
また、可変部分の可変データを示すデータの集合体が、情報要素にさらに付設されたので、シグナリングメッセージのコネクション交換処理を高速に行なうことのできるＡＴＭ通信システムを得ることができる。
【０１５７】
また、第２のＡＴＭ装置はタイマを有し、第２のＡＴＭ装置のＡＴＭシグナリング部は、タイマが第１及び第２のＡＴＭ装置間の呼設定処理の完了後から計測を開始して予め定められた時間を計測するまでに登録要求通知を受信しない場合に、第１のＡＴＭ装置に登録要求通知の出力を督促する登録要求通知督促通知を第１のＡＴＭ装置に出力するようにしたので、シグナリングメッセージのコネクション交換処理を高速に行なうことのできるＡＴＭ通信システムを得ることができる。
【０１５８】
また、第１のＡＴＭ装置のＡＴＭシグナリング部は、受信した登録要求通知督促通知に基づいて、第２のＡＴＭ装置の対応テーブルへのラベル及び該ラベルに対応した情報要素の登録を行わない場合は、その旨を示す非登録通知を第２のＡＴＭ装置に出力するようにしたので、ＡＴＭ装置の選択の幅が広がり柔軟なＡＴＭ通信システムを得ることができる。
【０１５９】
また、第２のＡＴＭ装置のＡＴＭシグナリング部は、第２のＡＴＭ装置の対応テーブルへのラベル及びラベルの登録を拒否する場合は、その旨を示す登録拒否通知を第１のＡＴＭ装置に出力するようにしたので、従来の機能を損なうことのないＡＴＭ通信システムを得ることができる。
【０１６０】
また、第１のＡＴＭ装置のＡＴＭシグナリング部は、第２のＡＴＭ装置の対応テーブルから削除するラベル及び該ラベルに対応した情報要素を第２のＡＴＭ装置の対応テーブルからの削除を要求する削除要求通知を出力し、第２のＡＴＭ装置のＡＴＭシグナリング部は、受信した削除要求通知に基づいてラベル及びラベルに対応した情報要素を第２のＡＴＭ装置の対応テーブルから削除するようにしたので、リソースの有効利用が図れる。
【０１６１】
また、第２のＡＴＭ装置のＡＴＭシグナリング部は、情報要素の削除を行った場合は、その旨を示す削除確認通知を発信側ＡＴＭ装置に出力するようにしたもので、リソースの有効利用が図れる。
【０１６２】
また、第１のＡＴＭ装置のＡＴＭシグナリング部は、第２のＡＴＭ装置の対応テーブルに登録された登録内容の変更を要求する変更要求通知を第２のＡＴＭ装置に出力し、第２のＡＴＭ装置のＡＴＭシグナリング部は、受信した変更要求通知に基づいて第２のＡＴＭ装置の対応テーブルの登録内容を変更するようにしたので、シグナリングメッセージ情報の選択の幅が広がる柔軟なＡＴＭ通信システムを得ることができる。
【０１６３】
また、第２のＡＴＭ装置のＡＴＭシグナリング部は、登録内容の変更を行った場合は、その旨を示す変更確認通知を第１のＡＴＭ装置に出力するようにしたので、シグナリングメッセージ情報の選択の幅が広がる柔軟なＡＴＭ通信システムを得ることができる。
【０１６４】
また、第２のＡＴＭ装置のＡＴＭシグナリング部は、登録内容の変更を拒否する場合は、その旨を示す変更拒否通知を第１のＡＴＭ装置に出力するようにしたので、従来の機能を損なうことのないＡＴＭ通信システムを得ることができる。
【０１６５】
また、第１のＡＴＭ装置のＡＴＭシグナリング部は、第１のＡＴＭ装置の対応テーブルの登録内容が示され第１のＡＴＭ装置の対応テーブルの登録内容と第２のＡＴＭ装置の対応テーブルの登録内容との確認を要求する登録内容確認要求通知を第２のＡＴＭ装置に出力し、第２のＡＴＭ装置のＡＴＭシグナリング部は、登録内容確認要求通知に基づいて第１のＡＴＭ装置の対応テーブルの登録内容と第２のＡＴＭ装置の対応テーブルの登録内容との確認を行うようにしたので、シグナリングメッセージのコネクション交換処理を高速に行なうことのできるＡＴＭ通信システムを得ることができる。
【０１６６】
また、登録内容確認要求通知は、第１のＡＴＭ装置と第２の装置との間の回線の物理的断線が復旧して、第１及び第２のＡＴＭ装置のＡＴＭシグナリング部が、お互いに接続されているＡＴＭ装置が断線前に接続されていたＡＴＭ装置であることを共に確認した場合に、出力されるようにしたので、シグナリングメッセージのコネクション交換処理を高速に行なうことのできるＡＴＭ通信システムを得ることができる。
【０１６７】
また、登録内容確認要求通知は、第１のＡＴＭ装置の対応テーブルに登録されている全てのラベルにより第１のＡＴＭ装置の対応テーブルの内容を示すようにしたので、ＡＴＭ通信システムの信頼性を高めると同時に、シグナリングメッセージのコネクション交換処理を高速に行なうことのできるＡＴＭ通信システムを得ることができる。
【０１６８】
また、登録内容確認要求通知は、第１のＡＴＭ装置の対応テーブルに登録されている全てのラベル及び該ラベルに対応した情報要素により第１のＡＴＭ装置の対応テーブルの内容を示すようにしたので、ＡＴＭ通信システムの信頼性を高めると同時に、シグナリングメッセージのコネクション交換処理を高速に行なうことのできるＡＴＭ通信システムを得ることができる。
【０１６９】
また、第２のＡＴＭ装置のＡＴＭシグナリング部は、第１のＡＴＭ装置の対応テーブルの登録内容と第２のＡＴＭ装置の対応テーブルの登録内容とが一致していない場合に、一致していない登録内容を第２のＡＴＭ装置の対応テーブルから削除すると共に、一致していない登録内容を第１のＡＴＭ装置の対応テーブルから削除を要求する登録削除要求通知を出力し、第１のＡＴＭ装置のＡＴＭシグナリング部は、受信した登録削除要求通知に基づいて登録内容を第１のＡＴＭ装置の対応テーブルから削除するようにしたので、ＡＴＭ通信システムの信頼性を高めると同時に、シグナリングメッセージのコネクション交換処理を高速に行なうことのできるＡＴＭ通信システムを得ることができる。
【０１７０】
また、ＡＴＭシグナリング部から出力される通知は、ユーザ情報以外の予約領域のチャネルのうち未割当てのチャネルを介して送信されるようにしたので、シグナリングメッセージのコネクション交換処理を高速に行なうことのできるＡＴＭ通信システムを得ることができる。
【図面の簡単な説明】
【図１】実施の形態１に係るＡＴＭ通信システムの説明図である。
【図２】実施の形態１に係るＡＴＭ通信システムの説明図である。
【図３】実施の形態１に係るＡＴＭ通信システムの説明図である。
【図４】実施の形態１に係るＡＴＭ通信システムの説明図である。
【図５】実施の形態１に係るＡＴＭ通信システムの説明図である。
【図６】実施の形態２に係るＡＴＭ通信システムの説明図である。
【図７】実施の形態３に係るＡＴＭ通信システムの説明図である。
【図８】実施の形態３に係るＡＴＭ通信システムの説明図である。
【図９】実施の形態３に係るＡＴＭ通信システムの説明図である。
【図１０】実施の形態３に係るＡＴＭ通信システムの説明図である。
【図１１】実施の形態３に係るＡＴＭ通信システムの説明図である。
【図１２】実施の形態４に係るＡＴＭ通信システムの説明図である。
【図１３】実施の形態４に係るＡＴＭ通信システムの説明図である。
【図１４】実施の形態４に係るＡＴＭ通信システムの説明図である。
【図１５】実施の形態４に係るＡＴＭ通信システムの説明図である。
【図１６】実施の形態５に係るＡＴＭ通信システムの説明図である。
【図１７】実施の形態５に係るＡＴＭ通信システムの説明図である。
【図１８】実施の形態５に係るＡＴＭ通信システムの説明図である。
【図１９】実施の形態５に係るＡＴＭ通信システムの説明図である。
【図２０】実施の形態５に係るＡＴＭ通信システムの説明図である。
【図２１】実施の形態６に係るＡＴＭ通信システムの説明図である。
【図２２】実施の形態７に係るＡＴＭ通信システムの説明図である。
【図２３】実施の形態７に係るＡＴＭ通信システムの説明図である。
【図２４】実施の形態８に係るＡＴＭ通信システムの説明図である。
【図２５】実施の形態８に係るＡＴＭ通信システムの説明図である。
【図２６】実施の形態８に係るＡＴＭ通信システムの説明図である。
【図２７】実施の形態８に係るＡＴＭ通信システムの説明図である。
【図２８】実施の形態８に係るＡＴＭ通信システムの説明図である。
【図２９】実施の形態８に係るＡＴＭ通信システムの説明図である。
【図３０】従来のＡＴＭ通信システムの説明図である。
【図３１】従来のＡＴＭ通信システムの説明図である。
【符号の説明】
１１ｂ、１２ｂ  通信パラメータ対応テーブル、
７００  通信パラメータ登録要求通知、８００  通信パラメータ登録確認通知、
８００ａ、８００ｂ  通信パラメータ変更要求通知、
９００  通信パラメータ変更確認通知、
１０００  通信パラメータ登録起動要求通知、
１１００  通信パラメータ非登録通知、
１２００  通信パラメータ非登録通知確認通知、
１３００  通信パラメータ登録拒否応答通知、
１４００  通信パラメータ登録削除要求通知、
１５００  通信パラメータ登録削除確認通知、
１６００  データベース通知、１７００  データベース確認通知。
【図１】
0003551684.tif 000002
【図２】
0003551684.tif 000003
【図３】
0003551684.tif 000004
【図４】
0003551684.tif 000005
【図５】
0003551684.tif 000006
【図６】
0003551684.tif 000007
【図７】
0003551684.tif 000008
【図８】
0003551684.tif 000009
【図９】
0003551684.tif 000010
【図１０】
0003551684.tif 000011
【図１１】
0003551684.tif 000012
【図１２】
0003551684.tif 000013
【図１３】
0003551684.tif 000014
【図１４】
0003551684.tif 000015
【図１５】
0003551684.tif 000016
【図１６】
0003551684.tif 000017
【図１７】
0003551684.tif 000018
【図１８】
0003551684.tif 000019
【図１９】
0003551684.tif 000020
【図２０】
0003551684.tif 000021
【図２１】
0003551684.tif 000022
【図２２】
0003551684.tif 000023
【図２３】
0003551684.tif 000024
【図２４】
0003551684.tif 000025
【図２５】
0003551684.tif 000026
【図２６】
0003551684.tif 000027
【図２７】
0003551684.tif 000028
【図２８】
0003551684.tif 000029
【図２９】
0003551684.tif 000030
【図３０】
0003551684.tif 000031
【図３１】
0003551684.tif 000032